(57)【要約】【課題】インクの浸入を防止できる、液体吐出ヘッド及び液体吐出装置を提供する。【解決手段】一形態にかかる液体吐出ヘッドは、液体を吐出するノズルと、アクチュエータと、を備える液体吐出部と、前記アクチュエータに接続される回路基板と、前記回路基板を収容するハウジングと、前記回路基板に接続されるとともに前記ハウジングの外部に露出する外部コネクタを有するインターフェース基板と、前記外部コネクタを覆うコネクタキャップと、を備える。【選択図】図１
2020151900.tif 000002
【特許請求の範囲】
【請求項１】
液体を吐出するノズルと、アクチュエータと、を備える液体吐出部と、
前記アクチュエータに接続される回路基板と、
前記回路基板を収容するハウジングと、
前記回路基板に接続されるとともに前記ハウジングの外部に露出する外部コネクタを有するインターフェース基板と、
前記外部コネクタを覆うコネクタキャップと、
を備える、液体吐出ヘッド。
【請求項２】
前記コネクタキャップは前記外部コネクタが収容される収容穴を有し、
前記インターフェース基板は前記ハウジングの内部に配され、
前記ハウジングは前記外部コネクタが配されるコネクタ口を有し、
前記外部コネクタは前記コネクタ口から前記ハウジングの外側に至り、
前記コネクタ口と前記外部コネクタとの間には前記コネクタキャップの前記収容穴の縁部が配置される間隙が形成された請求項１に記載の液体吐出ヘッド。
【請求項３】
前記ハウジングの内部を通って前記液体吐出部と前記ハウジングの外部とを接続するインク流路を形成するとともに、前記コネクタ口と隣接する位置にインクポートを備える流路管を備える請求項２に記載の液体吐出ヘッド。
【請求項４】
前記コネクタキャップが前記ハウジングに保持される、請求項１乃至請求項３のいずれかに記載の液体吐出ヘッド。
【請求項５】
液体を吐出するノズルと、アクチュエータと、を備える液体吐出部と、
前記アクチュエータに接続される回路基板と、
前記回路基板を収容するハウジングと、
前記回路基板に接続されるとともに外部コネクタを有するインターフェース基板と、
前記外部コネクタを覆うコネクタキャップと、
前記ハウジングの内部を通って前記液体吐出部と前記ハウジングの外部とを接続するインク流路を形成するインクポートを備える流路管と、
を備える、液体吐出ヘッドと、
前記流路管に接続される接続流路と、
前記外部コネクタを介して前記回路基板に接続される制御基板と、を備える、
液体吐出装置。
【発明の詳細な説明】
【技術分野】
【０００１】
本発明の実施形態は、液体吐出ヘッド及び液体吐出装置に関する。
【背景技術】
【０００２】
各種のインクジェット記録装置等の液体吐出装置に用いられるインクジェットヘッド等の液体吐出ヘッドにおいて、フレキシブルケーブルにより外部機器と電気的に接続される液体吐出ヘッドが考案されている。フレキシブルケーブルは、一端側が液体吐出ヘッドのケース内に納められた回路基板にコネクタを介して接続される。フレキシブルケーブルの他端側は、例えばインクジェットヘッドのハウジングの外部に引き出され、外部機器に接続される。あるいは、フレキシブルケーブルの他端側が、外部接続用のインターフェースコネクタを有するインターフェース基板に、ケーブルコネクタを介して接続される構成も知られている。インターフェース基板のインターフェースコネクタはハウジングの外側に配され、外部接続用のケーブルに接続される。
【先行技術文献】
【特許文献】
【０００３】
【特許文献１】特開２０１６−６０１５３号公報
【発明の概要】
【発明が解決しようとする課題】
【０００４】
本発明が解決しようとする課題は、液体吐出ヘッド内へのインクの浸入を防止することができる、液体吐出ヘッド及び液体吐出装置を提供することである。
【課題を解決するための手段】
【０００５】
一形態にかかるインクジェットヘッドは、液体を吐出するノズルと、アクチュエータと、を備える液体吐出部と、前記アクチュエータに接続される回路基板と、前記回路基板を収容するハウジングと、前記回路基板に接続されるとともに前記ハウジングの外部に露出する外部コネクタを有するインターフェース基板と、前記外部コネクタを覆うコネクタキャップと、を備える。
【図面の簡単な説明】
【０００６】
【図１】第１実施形態にかかるインクジェットヘッドの構成を示す斜視図。
【図２】同インクジェットヘッドの一部の構成を示す斜視図。
【図３】同インクジェットヘッドを用いたインクジェット記録装置の構成を示す説明図。
【図４】他の実施形態にかかるインクジェットヘッドの一部の構成を示す斜視図。
【図５】同インクジェットヘッドの一部の構成を示す斜視図。
【図６】同インクジェットヘッドの一部の構成を示す断面図。
【発明を実施するための形態】
【０００７】
以下に、第１実施形態に係る液体吐出ヘッドであるインクジェットヘッド１及び液体吐出装置としてのインクジェット記録装置１００について、図１乃至図３を参照して説明する。図１は、第１実施形態にかかるインクジェットヘッド１の構成を示す正面図である。図２はインクジェットヘッド１の一部の構成を拡大して示す斜視図である。図３は、インクジェット記録装置１００の構成を示す説明図である。各図において説明のため、適宜構成を拡大、縮小または省略して示している。なお、本実施形態においてインクジェットヘッド１及びインクジェット記録装置１００のインクの吐出方向が下向きとなる姿勢で配置された例を示すが、これに限られるものではなく装置の姿勢や各部の配置に応じて変更可能である。
【０００８】
図１及び図２に示すように、インクジェットヘッド１は、液体吐出部１０と、ハウジング２０と、基板ユニット３０と、インターフェース基板４０と、を備える。
【０００９】
液体吐出部１０は、基板ユニット３０の下方に配されている。液体吐出部１０は、アクチュエータ１１と、複数のノズルを有するノズルプレート１２と、を備える。アクチュエータ１１は、例えば各ノズルに連通する複数の圧力室と、複数の圧力室に連通する共通室と、複数の圧力室を駆動する駆動素子と、駆動素子に接続される電極と、を備える。駆動素子は例えば圧電素子を有する。ノズルプレート１２は複数のノズルを有する。
【００１０】
液体吐出部１０には、供給管１３ａや回収管１３ｂなどの複数の流路管が接続されている。供給管１３ａ及び回収管１３ｂは例えば図１等において下側に配される一端が液体吐出部１０の共通室に連通し、ハウジング２０の内部を通って液体吐出部１０とハウジング２０の外部とを接続するインク流路を形成するとともに、図中上側の端部にインクポート１４を有する。インクポート１４はコネクタ口２３ｅと隣接する位置に配される。インクポート１４にはインクジェット記録装置１００の接続流路１３５が接続され、インク流路は接続流路１３５を介して供給タンク１３２等の液体収容部に接続される。
【００１１】
ハウジング２０は、矩形の筺状に構成される。例えば本実施形態において、ハウジング２０は、基板ユニット３０の前後にそれぞれ配される一対の矩形の第１壁２０ａと、基板ユニット３０の両側部にそれぞれ配される一対の側壁２０ｃと、インターフェース基板４０を備える上壁２０ｄと、を有する。ハウジング２０の下部に液体吐出部１０が設けられ、ハウジング２０とアクチュエータ１１によって密閉された空間の内部に、基板ユニット３０が収容される。
【００１２】
上壁２０ｄには、ハウジング２０内から供給管１３ａや回収管１３ｂが引き出される円形の貫通孔である複数の管引出口２３ｄと、インターフェース基板４０の外部コネクタ４１が導出される複数のコネクタ口２３ｅが形成されている。
【００１３】
基板ユニット３０は、ハウジング２０の内部空間に立設された矩形の板状の回路基板３１と、回路基板３１の一端側に接続されたフレキシブルケーブル３２と、を備える。
【００１４】
回路基板３１は、液体吐出部１０の上部に立設されている。回路基板３１にはドライブＩＣ等の各種の電子部品３４が搭載されている。例えば回路基板３１はフレキシブル基板３５を介して液体吐出部１０に接続される。回路基板３１の上側の端縁近傍の所定箇所に、フレキシブルケーブル３２が接続されるコネクタベース３１ａが搭載されている。
【００１５】
フレキシブルケーブル３２は、所定の幅を有する帯状に構成され、長手方向に沿って配される複数の配線を有している。フレキシブルケーブル３２は両端にケーブルコネクタ３２ａ，３２ｂを有している。
【００１６】
フレキシブルケーブル３２は、一端側に配されるケーブルコネクタ３２ａが、回路基板３１のコネクタベース３１ａに挿入されて係合することで、回路基板３１に接続される。フレキシブルケーブル３２は、他端側に配されるケーブルコネクタ３２ｂがインターフェース基板４０のコネクタベース４３に接続されている。
【００１７】
インターフェース基板４０は、所定の配線が形成された回路基板であり、ハウジング２０の内側に配置される。例えば本実施形態において、インターフェース基板４０は、上壁２０ｄよりも小さい矩形状に構成され、上壁２０ｄの下側に配置される。インターフェース基板４０の一方の主面には、例えば外部接続用の２つの外部コネクタ４１が設けられ、他方の主面にはフレキシブルケーブル３２に接続されるコネクタベース４３が設けられている。
【００１８】
各外部コネクタ４１は、コネクタ口２３ｅから外部に露出する。具体的には外部コネクタ４１は、ハウジング２０の外側に突出している。外部コネクタ４１には外部接続用のハーネスが接続される。外部コネクタ４１は、供給管１３ａ及び回収管１３ｂが配される壁面と同じ壁面である上壁２０ｄに、配置されている。例えば外部コネクタ４１は、供給管１３ａ，回収管１３ｂに隣接して配置されている。各外部コネクタ４１には、コネクタキャップ５１が設けられる。外部コネクタ４１は、コネクタ口２３ｅ内に配され、コネクタ口２３ｅの縁部との間に所定幅の間隙２３ｈを形成している。
【００１９】
コネクタキャップ５１は、合成樹脂材やゴム材により、一方が開口する筺状に形成されている。コネクタキャップ５１は、外部コネクタ４１よりも僅かに大きく一面が開口する筺状に構成されている。コネクタキャップ５１は、外部コネクタ４１が配される収容穴５１ａを有している。コネクタキャップ５１の収容穴５１ａの開口縁（縁部）５１ｂは、コネクタ口２３ｅと外部コネクタ４１との間の間隙２３ｈと同様の矩形の形状に形成され、間隙２３ｈと同程度の厚さを有している。コネクタキャップ５１は、外部コネクタ４１からハーネスを取り外して外部インターフェースの接続を外した際に、外部コネクタ４１に装着されると、収容穴５１ａに外部コネクタ４１が配されるとともに、コネクタ口２３ｅと外部コネクタ４１との間の間隙２３ｈにコネクタキャップ５１の開口縁が配置される。コネクタキャップ５１の開口縁５１ｂは、コネクタ口２３ｅ及び外部コネクタ４１の少なくともいずれかと嵌合する。例えばコネクタキャップ５１は、外部コネクタ４１を覆うことで、外部コネクタ４１にインク等が付着することを防止する。またコネクタキャップ５１は、開口縁５１ｂがコネクタ口２３ｅ及び外部コネクタ４１に嵌合し、ハウジング２０の間隙２３ｈを塞ぐことで、ハウジング２０内にインクが浸入するのを防止する。コネクタキャップ５１は、数滴のインクが付着しても、インクがインクジェットヘッド１の内部へ染み込まない程度の耐インク性を有する。
【００２０】
コネクタキャップ５１は、ハウジング２０に係合可能に構成されている。具体的には、例えばコネクタキャップ５１に係合爪が一体に形成され、ハウジングの外面に当該係合爪が係合する係合部として例えば係合穴が形成されていることにより、コネクタキャップ５１がハウジング２０に保持される。
【００２１】
以上のように構成されたインクジェットヘッド１は、例えば回路基板３１に搭載されたドライブＩＣにより駆動電圧を印加することで、アクチュエータ１１が駆動され、ノズルから液滴を吐出させる。
【００２２】
インクジェットヘッド１は、例えば図３に示されるインクジェット記録装置１００に設けられる。インクジェットヘッド１は、インクジェット記録装置１００に設けられた液体収容部としての供給タンク１３２に接続され、供給タンク１３２との間でインクを循環させる循環型のヘッドである。インクジェットヘッド１は例えば液体吐出部１０のノズルが下方に向く姿勢で配置される。
【００２３】
以下、インクジェットヘッド１を有するインクジェット記録装置１００について、図３を参照して説明する。インクジェット記録装置１００は、筐体１１１と、媒体供給部１１２と、画像形成部１１３と、媒体排出部１１４と、支持装置である搬送装置１１５と、制御部１１６を有する制御基板と、を備える。
【００２４】
インクジェット記録装置１００は、媒体供給部１１２から画像形成部１１３を通って媒体排出部１１４に至る所定の搬送路Ａ１に沿って、吐出対象物である記録媒体として例えば用紙Ｐを搬送しながらインク等の液体を吐出することで、用紙Ｐに画像形成処理を行うインクジェットプリンタである。
【００２５】
媒体供給部１１２は複数の給紙カセット１１２ａを備える。媒体排出部１１４は、排紙トレイ１１４ａを備える。画像形成部１１３は、用紙を支持する支持部１１７と、支持部１１７の上方に対向配置された複数のヘッドユニット１３０と、を備える。支持部１１７は、画像形成を行う所定領域にループ状に備えられる搬送ベルト１１８と、搬送ベルト１１８を裏側から支持する支持プレート１１９と、搬送ベルト１１８の裏側に備えられた複数のベルトローラ１２０と、を備える。
【００２６】
ヘッドユニット１３０は、複数のインクジェットヘッドであるインクジェットヘッド１と、各インクジェットヘッド１上にそれぞれ搭載された液体タンクとしての複数の供給タンク１３２と、インクジェットヘッド１と供給タンク１３２とを接続する接続流路１３５と、循環部である循環ポンプ１３４と、を備える。ヘッドユニット１３０は、液体を循環させる循環型のヘッドユニットである。
【００２７】
本実施形態において、インクジェットヘッド１としてシアン、マゼンダ、イエロー、ブラックの４色のインクジェットヘッド１と、これらの各色のインクをそれぞれ収容する供給タンク１３２として、供給タンク１３２を備える。供給タンク１３２は接続流路１３５によってインクジェットヘッド１に接続される。接続流路１３５は、供給チューブ１３５ａと、回収チューブ１３５ｂと、を備える。供給チューブ１３５ａは、インクチューブであり、インクジェットヘッド１の供給管１３ａに接続される供給流路を構成する。回収チューブ１３５ｂは、インクチューブであり、インクジェットヘッド１の回収管１３ｂに接続される回収流路を構成する。
【００２８】
また、供給タンク１３２には、図示しないポンプなどの負圧制御装置が連結されている。そして、インクジェットヘッド１と供給タンク１３２との水頭値に対応して、負圧制御装置により供給タンク１３２内を負圧制御することで、インクジェットヘッド１の各ノズルに供給されたインクを所定形状のメニスカスに形成させている。
【００２９】
循環ポンプ１３４は、例えば圧電ポンプで構成される送液ポンプである。循環ポンプ１３４は、配線により制御部１１６に接続され、ＣＰＵ（Ｃｅｎｔｒａｌ  Ｐｒｏｃｅｓｓｉｎｇ  Ｕｎｉｔ）１１６ａの制御によって制御可能に構成されている。循環ポンプ１３４は、インクジェットヘッド１と供給タンク１３２を含む循環流路で液体を循環させる。
【００３０】
搬送装置１１５は、媒体供給部１１２の給紙カセット１１２ａから画像形成部１１３を通って媒体排出部１１４の排紙トレイ１１４ａに至る搬送路Ａ１に沿って、用紙Ｐを搬送する。搬送装置１１５は、搬送路Ａ１に沿って配置される複数のガイドプレート対１２１ａ〜１２１ｈと、複数の搬送用ローラ１２２ａ〜１２２ｈと、を備えている。搬送装置１１５は、用紙Ｐをインクジェットヘッド１に相対移動可能に支持する。
【００３１】
制御部１１６は、プロセッサの一例としてのＣＰＵ１１６ａと、各種のプログラムなどを記憶するＲＯＭ（Ｒｅａｄ  Ｏｎｌｙ  Ｍｅｍｏｒｙ）と、各種の可変データや画像データなどを一時的に記憶するＲＡＭ（Ｒａｎｄｏｍ  Ａｃｃｅｓｓ  Ｍｅｍｏｒｙ）と、外部からのデータの入力及び外部へのデータの出力をするインターフェース部と、を備える。制御部１１６は、制御基板に搭載され、外部コネクタ４１を介して回路基板３１に接続される。
【００３２】
インクジェットヘッド１及びインクジェット記録装置１００において、ノズルから液体を吐出する駆動時には、制御部１１６は、アクチュエータ１１の駆動素子に駆動電圧を印加し、アクチュエータ１１を動作させて、ノズルからインク滴を吐出させる。
【００３３】
以上のように構成されたインクジェットヘッド１において、インクは、図３に示す供給タンク１３２から、供給チューブ１３５ａ及び供給管１３ａを通って液体吐出部１０の圧力室へ至り、圧力室に対向配置されたノズルから吐出される。一方、インクは、圧力室から回収管１３ｂ及び回収チューブ１３５ｂを通って供給タンク１３２に回収され、循環する。
インクジェットヘッド１をインクジェット記録装置１００に接続する際には、まずインクチューブで構成される供給チューブ１３５ａ及び回収チューブ１３５ｂをインクポート１４に接続し、インクを供給タンク１３２からインクジェットヘッド１側に供給した後に、外部コネクタ４１からコネクタキャップ５１を外し、外部コネクタ４１にハーネスを接続する。一方、インクジェット記録装置１００との接続を外す際には、まず外部コネクタ４１に接続されているハーネスを外してコネクタキャップ５１を装着した後に、インクポート１４から供給チューブ１３５ａ、回収チューブ１３５ｂを外す手順で作業を行う。
【００３４】
以上説明したように、本実施形態にかかるインクジェットヘッド１及びインクジェット記録装置１００は、外部コネクタ４１から、ハウジング２０内にインクが浸入することを防止できる。例えば、インクジェットヘッドにおいてインク吐出の際に発生するミストがインクジェットヘッド内のヘッド駆動用の回路基板に付着してしまうと故障の原因となる。また、外部コネクタがインクポートに隣接して配置されている構成では、インクポートに接続されるインクチューブの取り外しの際にインクが飛散し、コネクタやハーネスを伝ってコネクタ部からヘッド内部へインクが浸入する可能性がある。これに対し、本実施形態にかかるインクジェットヘッド１はコネクタキャップ５１を装着することでハーネスが接続されていない状態で外部コネクタ４１にインク等が飛散してもインクが外部コネクタ４１やハウジング２０内に浸入することを防ぐことができる。また、インクジェットヘッド１において、コネクタキャップ５１は、ハウジング２０の間隙２３ｈに嵌合して密閉することで、よりインクが浸入する可能性を低減できる。また、コネクタキャップ５１を合成樹脂材やゴム材により形成することにより、間隙２３ｈを密閉でき、インクの浸入防止効果を向上できる。さらに、コネクタキャップ５１はハウジング２０に保持される構成としたことにより、コネクタキャップ５１の紛失を防止できる。
【００３５】
なお、本発明は上記実施形態そのままに限定されるものではなく、実施段階ではその要旨を逸脱しない範囲で構成要素を変形して具体化できる。
【００３６】
例えば上記実施形態においては、インターフェース基板４０がハウジング２０内に配置される例を示したが、これに限られるものではない。例えばインターフェース基板４０がハウジング２０の外側に配置され、ハウジング２０とインターフェース基板４０との間が接着剤などにより封止されている構成であってもよい。この場合にも、インターフェース基板４０の外部コネクタ４１をコネクタキャップ５１で覆うことにより、外部コネクタ４１からインクがインクジェットヘッド１内に浸入するのを防止できる。
【００３７】
また、例えばハウジング２０にコネクタキャップ５１を保持する保持機構は上記実施形態で例示する係合爪に限られるものではない。例えばチェーン機構やその他のロック機構により、ハウジング２０にコネクタキャップ５１を保持する構成でもよい。
【００３８】
図４及び図５は、他の実施形態にかかるインクジェットヘッド１のコネクタキャップ１５１の構成を示す斜視図であり、図６は断面図である。本実施形態においては、コネクタキャップ１５１はキャップバンド１５３によってハウジング２０に保持される。また、コネクタキャップ１５１にキャップバンド１５３及び係合羽根１５２が設けられるとともに、コネクタ口２３ｅに切欠部が形成されている。この他の構成については上記第１実施と同様に構成されているため、共通する説明を省略する。
【００３９】
図４乃至図６に示すように、本実施形態においてインクジェットヘッド１は、外部コネクタ４１及び、当該外部コネクタ４１に装着されるコネクタキャップ１５１を備える。ハウジング２０の上壁２０ｄに形成されたコネクタ口２３ｅは、矩形状の開口であって、長手方向の両端部に切欠部２３ｉを有する。切欠部２３ｉはコネクタ口２３ｅの長手方向の両端部は、端縁の一部が長手方向に突出する凸状に構成されている。ハウジング２０のコネクタ口２３ｅの近傍には、コネクタキャップ１５１を保持するキャップバンド１５３が連結される保持部２４が設けられている。保持部２４は、例えばハウジング２０に締結されたボルト状部材であり、キャップバンド１５３の一端を保持する。
【００４０】
外部コネクタ４１は、上記第１実施形態にかかる外部コネクタ４１と同様に、ハウジング２０内に配されたインターフェース基板４０の一方の主面に設けられている。外部コネクタ４１は、コネクタ口２３ｅ内に配され、コネクタ口２３ｅの縁部との間に所定幅の間隙２３ｈを形成している。本実施形態における外部コネクタ４１は、コネクタ口２３ｅによって外部に露出しているが、外部コネクタ４１の位置は、コネクタ口２３ｅ内において、ハウジング２０の外面よりも内側に位置している。言い換えると、外部コネクタ４１は、ハウジング２０の外方に突出していない。各外部コネクタ４１には、コネクタキャップ１５１が設けられる。
【００４１】
コネクタキャップ１５１は、合成樹脂材やゴム材により構成されている。コネクタキャップ１５１は、一方が開口する筺状に形成されるキャップ体１５１ｃと、キャップ体１５１ｃの長手方向である第１方向の両端部に設けられた一対の係合羽根１５２と、キャップバンド１５３と、を備える。
【００４２】
キャップ体１５１ｃは底壁と周壁を有し、外部コネクタ４１よりも僅かに大きく一面が開口する筺状に構成されている。コネクタキャップ１５１は、外部コネクタ４１が配される収容穴１５１ａを有している。コネクタキャップ１５１の収容穴１５１ａの開口縁（縁部）１５１ｂは、コネクタ口２３ｅと外部コネクタ４１との間の間隙２３ｈと同様の矩形の形状に形成され、間隙２３ｈと同程度の厚さを有している。
【００４３】
一対の係合羽根１５２は、上壁２０ｄ上に重なる板状の第１係合片１５２ａと、第１係合片１５２ａの図中下方に配置されるとともに第１係合片１５２ａに直交する板状の第２係合片１５２ｂと、を一体に有し、例えば断面形状がＴ字状に構成されている。コネクタキャップ１５１の長手方向において、第１係合片１５２ａは第２係合片１５２ｂよりも僅かに長く、第１係合片１５２ａの端面は、第２係合片１５２ｂの端面よりもコネクタキャップの長手方向に突出している。すなわち、凸状の切欠部２３ｉに第２係合片１５２ｂが挿入されると、その第２係合片１５２ｂ上の第１係合片１５２ａが切欠部２３ｉの周囲のハウジング２０の上壁２０ｄの上面に重ねて配置される。
【００４４】
キャップバンド１５３は、例えばゴム材から紐状に構成され、伸縮可能に構成されている。キャップバンド１５３の一端が係合羽根１５２に連結されている。キャップバンド１５３の他端は例えば環状に構成され、ハウジング２０に形成された保持部２４に締結されている。キャップバンド１５３によって、コネクタキャップ１５１がハウジング２０に保持される。
【００４５】
本実施形態において、外部コネクタ４１からハーネスを取り外して外部インターフェースの接続を外した際に、コネクタキャップ１５１が外部コネクタ４１に装着されると、収容穴１５１ａに外部コネクタ４１が配されるとともに、コネクタ口２３ｅと外部コネクタ４１との間の間隙２３ｈにコネクタキャップ１５１の開口縁１５１ｂが配置される。このとき、コネクタ口２３ｅの切欠部２３ｉに係合羽根１５２の第２係合片１５２ｂが挿入されるとともに、ハウジング２０の切欠部２３ｉ付近の面に第１係合片１５２ａが重ねて配置される。コネクタキャップ５１の開口縁５１ｂは、コネクタ口２３ｅ及び外部コネクタ４１の少なくともいずれかと嵌合する。この他の構成は上記第１実施形態にかかる外部コネクタ４１、コネクタキャップ1５１と同様に構成されている。また、キャップバンド１５３はゴム材で伸縮可能に構成されているため、外部コネクタ４１の高さや位置の調整が可能である。
【００４６】
本実施形態において、コネクタキャップ１５１はキャップバンド１５３によりハウジング２０に保持されるため、コネクタキャップ１５１を外部コネクタ４１から取り外した状態でも紛失防止が可能である。なお、本実施形態において一例としてキャップバンド１５３を固定する保持部２４を設けた例を示したが、例えばキャップバンド１５３は供給管１３ａや回収管１３ｂ、あるいは冷却水用の管部材など、既存の部材に取付けて固定してもよい。
【００４７】
また、吐出する液体は印字用のインクに限られるものではなく、例えばプリント配線基板の配線パターンを形成するための導電性粒子を含む液体を吐出する装置等であっても良い。
【００４８】
インクジェットヘッドは、上記のように圧電素子を用いて駆動する構造の他、例えば静電気で振動板を変形してインク滴を吐出する構造、あるいはヒータ等の熱エネルギーを利用してノズルからインク滴を吐出する構造等でもよい。
【００４９】
また、上記実施形態において、インクジェットヘッドは、インクジェット記録装置等のインクジェット記録装置に用いられる例を示したが、これに限られるものではなく、例えば３Ｄプリンタ、産業用の製造機械、医療用途にも用いることが可能であり、小型軽量化及び低コスト化が可能である。
【００５０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…インクジェットヘッド（液体吐出ヘッド）、１０…液体吐出部、１１…アクチュエータ、１２…ノズルプレート、１３ａ…供給管（流路管）、１３ｂ…回収管（流路管）、１４…インクポート、２０…ハウジング、２３ｄ…管引出口、２３ｅ…コネクタ口、２３ｈ…間隙、３０…基板ユニット、３１…回路基板、３１ａ…コネクタベース、３２…フレキシブルケーブル、３２ａ…ケーブルコネクタ、３２ｂ…ケーブルコネクタ、３４…電子部品、３５…フレキシブル基板、４０…インターフェース基板、４１…外部コネクタ、４３…コネクタベース、５１…コネクタキャップ、１００…インクジェット記録装置（液体吐出装置）、１１１…筐体、１１２…媒体供給部、１１２ａ…給紙カセット、１１３…画像形成部、１１４…媒体排出部、１１４ａ…排紙トレイ、１１５…搬送装置、１１６…制御部、１１６ａ…ＣＰＵ、１１７…支持部、１１８…搬送ベルト、１１９…支持プレート、１２０…ベルトローラ、１２１ａ〜１２１ｈ…ガイドプレート対、１２２ａ〜１２２ｈ…搬送用ローラ、１３０…ヘッドユニット、１３２…供給タンク、１３４…循環ポンプ、１３５…接続流路、１３５ａ…供給チューブ、１３５ｂ…回収チューブ、Ａ１…搬送路。
【図１】
2020151900.tif 000003
【図２】
2020151900.tif 000004
【図３】
2020151900.tif 000005
【図４】
2020151900.tif 000006
【図５】
2020151900.tif 000007
【図６】
2020151900.tif 000008